(57)【要約】【課題】画像の動き変化率によって光源の駆動デューティ及び供給電源を可変的に調節するための光源駆動方法及びその装置とこれを有する液晶表示装置を提供する。【解決手段】ランプ駆動装置は、変化率算出部、ディミング変換部、及び電源供給部を備える。変化率算出部は、画像信号から画像の動き変化率信号を算出する。ディミング変換部は、ディミング信号と動き変化率信号に基づいて光源の発光デューティを調節するデジタルディミング信号、及び光源に供給される電源を調節するアナログディミング信号を出力する。電源供給部は、アナログディミング信号及びデジタルディミング信号に基づいて光源に電源を供給する。これによって、瞬間ランプ電流を上昇させてもランプ特性と寿命に影響がなく、動く画像が不鮮明になる現象を解決することができる。【選択図】図１
2007213072.tif 000002
【特許請求の範囲】
【請求項１】
画像信号の動き変化率と基準変化率とを比較する段階と、
前記動き変化率が前記基準変化率より小さいかまたは等しいと確認された場合、正常的なオン区間を有するデジタルディミング信号及び正常的なレベルのアナログディミング信号を用いて光源を駆動する段階と、
前記動き変化率が前記基準変化率より大きいと確認された場合、相対的に短いオン区間を有するデジタルディミング信号及び相対的に高いレベルのアナログディミング信号を用いて前記光源を駆動する段階と、を有することを特徴とする光源駆動方法。
【請求項２】
前記デジタルディミング信号は、前記光源の発光デューティを制御することを特徴とする請求項１記載の光源駆動方法。
【請求項３】
前記アナログディミング信号は、前記光源に供給される電源を制御することを特徴とする請求項１記載の光源駆動方法。
【請求項４】
液晶層を用いて画像を表示する液晶表示パネルに光を供給する光源に電源を供給する光源駆動装置において、
画像に対応する画像信号から該画像の動き変化率信号を算出する変化率算出部と、
外部から提供されるディミング信号と前記動き変化率信号とに基づいて前記光源の発光デューティを調節するデジタルディミング信号、及び前記光源に供給される電源を調整するアナログディミング信号を出力するディミング変換部と、
前記画像信号に対応する垂直同期信号、前記アナログディミング信号、及びデジタルディミング信号に基づいて前記光源に電源を供給する電源供給部と、を備えることを特徴とする光源駆動装置。
【請求項５】
前記デジタルディミング信号は、ＰＷＭ信号であることを特徴とする請求項４記載の光源駆動装置。
【請求項６】
前記変化率算出部は、ＭＰＥＧデコーダであることを特徴とする請求項４記載の光源駆動装置。
【請求項７】
液晶層を用いて画像を表示するパネル部と、
前記パネル部に光を提供する光源部と、
外部から供給される画像信号を前記パネル部に提供する画像信号処理部と、
前記画像信号の動き変化率に基づいて前記光源部を駆動する光源駆動部と、を備えることを特徴とする液晶表示装置。
【請求項８】
前記光源駆動部は、前記動き変化率が相対的に高い区間の期間、前記光源部の発光デューティを相対的に減少させ、前記光源部に供給される電流を相対的に増加させることを特徴とする請求項７記載の液晶表示装置。
【請求項９】
前記光源駆動部は、前記動き変化率が低い区間の期間、前記光源部の発光デューティを正常的に維持し、前記光源部に供給される電流を正常的に維持することを特徴とする請求項７記載の液晶表示装置。
【請求項１０】
前記光源駆動部は、
前記画像信号から動き変化率信号を算出する変化率算出部と、
外部から提供されるディミング信号及び前記動き変化率信号に基づいてアナログディミング信号及びＰＷＭディミング信号を出力するディミング変換部と、
前記画像信号に対応する垂直同期信号、前記アナログディミング信号、及び前記ＰＷＭディミング信号に基づいて前記光源部に電源を供給する電源供給部と、を含むことを特徴とする請求項７記載の液晶表示装置。
【請求項１１】
前記変化率算出部は、ＭＰＥＧデコーダであることを特徴とする請求項１０記載の液晶表示装置。
【請求項１２】
前記ディミング変換部は、
アナログディミング基本値を保存する保存部と、
前記動き変化率信号と外部から提供される基準変化率信号とを比較して比較判断信号を出力する比較判断器と、
前記比較判断信号と前記アナログディミング基本値とを合算して前記アナログディミング信号を出力する合算器と、
外部から提供されるディミング信号で前記比較判断信号を減算して減算されたディミング信号を出力する減算器と、
前記減算されたディミング信号をＰＷＭ変換して前記ＰＷＭディミング信号を出力するＰＷＭ変換器と、を含むことを特徴とする請求項１０記載の液晶表示装置。
【請求項１３】
前記ディミング変換部は、
前記動き変化率が基準変化率より小さいかあるいは等しい場合、正常的なオン区間を有するＰＷＭディミング信号及び正常的なレベルのアナログディミング信号を前記電源供給部に供給し、
前記動き変化率が基準変化率より大きい場合、相対的に短いオン区間を有するＰＷＭディミング信号及び相対的に高いレベルのアナログディミング信号を前記電源供給部に供給することを特徴とする請求項１０記載の液晶表示装置。
【請求項１４】
前記画像信号処理部は、
外部から第１画像信号及び第１同期信号を提供することによって、第２画像信号、第２同期信号、及び第３同期信号を出力するタイミング制御部と、
前記第２画像信号及び第２同期信号に基づいて前記パネル部にデータ信号を出力するデータ駆動部と、
前記第３同期信号に基づいて前記パネル部にゲート信号を出力するゲート駆動部と、を含み、
前記タイミング制御部は、
前記第１画像信号から動き変化率信号を算出する変化率算出部を含むことを特徴とする請求項７記載の液晶表示装置。
【請求項１５】
前記光源駆動部は、
外部から提供されるディミング信号及び前記動き変化率信号に基づいてアナログディミング信号及びＰＷＭディミング信号を出力するディミング変換部と、
前記画像信号に対応する第４同期信号、前記アナログディミング信号、及び前記ＰＷＭディミング信号に基づいて前記光源部に電源を供給する電源供給部と、を含むことを特徴とする請求項１４記載の液晶表示装置。
【請求項１６】
前記第４同期信号は、垂直同期信号（Ｖｓｙｎｃ）であることを特徴とする請求項１５記載の液晶表示装置。
【請求項１７】
前記ディミング変換部は、
アナログディミング基本値を保存する保存部と、
前記動き変化率信号と外部から提供される基準変化率信号とを比較して比較判断信号を出力する比較判断器と、
前記比較判断信号と前記アナログディミング基本値とを合算して前記アナログディミング信号を出力する合算器と、
外部から提供されるディミング信号で前記比較判断信号を減算して減算されたディミング信号を出力する減算器と、
前記減算されたディミング信号をＰＷＭ変換して前記ＰＷＭディミング信号を出力するＰＷＭ変換器と、を含むことを特徴とする請求項１５記載の液晶表示装置。
【請求項１８】
前記変化率算出部は、
ｎ番目のフレームに対応する画像信号が提供されることによって該ｎ番目のフレームに対応する画像信号を保存し、保存されたｎ−１番目のフレームに対応する画像信号を出力する第１メモリと、
前記ｎ−１番目のフレームに対応する画像信号を保存し、保存されたｎ−２番目のフレームに対応する画像信号を出力する第２メモリと、
前記第１メモリで提供されるｎ−１番目のフレームに対応する画像信号と前記第２メモリで提供されるｎ−２番目のフレームに対応する画像信号とを比較して前記動き変化率信号を出力する比較部と、を含むことを特徴とする請求項１４記載の液晶表示装置。
【請求項１９】
前記比較部は、
前記ｎ−２番目のフレームの画像信号及び前記ｎ−１番目のフレームの画像信号それぞれに対応するヒストグラムの変化に基づいて前記動き変化率信号を出力することを特徴とする請求項１８記載の液晶表示装置。
【請求項２０】
前記比較部は、
前記ｎ−２番目のフレームの画像信号及び前記ｎ−１番目のフレームの画像信号で表示される物体のエッジ変化率に基づいて前記動き変化率信号を出力することを特徴とする請求項１８記載の液晶表示装置。
【発明の詳細な説明】
【技術分野】
【０００１】
本発明は、光源駆動方法及びその装置とこれを有する液晶表示装置に関し、より詳細には画像の動き変化率によって光源の駆動デューティおよび供給電源を可変的に調節するための光源駆動方法及びその装置とこれを有する液晶表示装置に関する。
【背景技術】
【０００２】
一般的に、液晶表示装置は、画像情報によって液晶の光透過量を調節して画面に画像情報に該当する画像を表示する。このために、液晶表示装置に具備される液晶表示パネルは、マトリクス形態に配列された液晶セルと、その液晶セルに対応してそれぞれの液晶セルに供給される画像情報をスイッチングするために薄膜トランジスタ（ｔｈｉｎ  ｆｉｌｍ  ｔｒａｎｓｉｔｏｒ：ＴＦＴ）のようなスイッチング素子を含む。
【０００３】
液晶表示パネルの駆動装置は、画像情報が液晶セルに対応して供給されるようにスイッチング素子を制御する。また、液晶表示パネルの駆動装置は、ブリンキングや残像などによって画像が劣化する現象を抑制し、液晶表示パネルの駆動電圧を低下させるために画像情報を一定の電圧レベルに対して正の極性及び負の極性を有するように制御する。
【０００４】
一方、技術の発達に応じて静止画像を表示する技術だけでなく、動画像を表示するための高度な技術が要求される。しかし、液晶表示装置にて動画像を具現するには厳しい制約がある。それは、１フレーム周期より液晶の応答速度が遅いので液晶に充電された電圧（例えば、画像信号またはデータ電圧）を１フレーム期間維持した後、次のフレームで新しい電圧を印加すると、画面上に残像が発生する。
【０００５】
このような残像を除去するために、画像が表示される速度と位相を合わせて光源の点灯と消灯動作を反復する。
しかし、消灯する時間が発生して輝度が低くなる。輝度が低くなるという問題点を解決するために点灯する瞬間にランプに供給される電流を高くしなければならないという問題点がある。即ち、画像が表示される速度と位相に合わせて点灯と消灯を反復すると残像が除去されて画面がきれいに表示されるが、消灯する時間が発生するようになってしまって輝度が低くなるという問題点が発生する。
【発明の開示】
【発明が解決しようとする課題】
【０００６】
そこで、本発明は、上記従来の問題点に鑑みてなされたものであって、本発明の目的は、瞬間ランプ電流を上昇させてもランプ特性と寿命に影響がなく、動く画像が不鮮明に見える現像を除去するための光源駆動方法を提供することにある。
本発明の他の目的は、この光源駆動方法を用いた光源駆動装置を提供することにある。
本発明の更に他の目的は、この光源駆動装置を有する液晶表示装置を提供することにある。
【課題を解決するための手段】
【０００７】
上記目的を達成するためになされた本発明の一特徴による光源駆動方法は、（ａ）外部から画像信号が提供されることによって、前記画像信号の動き変化率信号を算出する段階と、（ｂ）前記動き変化率信号と基準変化率信号とを比較する段階と、（ｃ）前記動き変化率信号が前記基準変化率信号より小さいかまたは等しいと確認された場合、正常的なオン区間を有するデジタルディミング信号及び正常的なレベルのアナログディミング信号を用いて光源を駆動する段階と、（ｄ）前記動き変化率信号が前記基準変化率信号より大きいと確認された場合、相対的に短いオン区間を有するデジタルディミング信号及び相対的に高いレベルのアナログディミング信号を用いて前記光源を駆動する段階を有する。
前記デジタルディミング信号は、前記光源の発光デューティを制御する。
前記アナログディミング信号は、前記光源に供給される電源を制御する。
【０００８】
上記目的を達成するためになされた本発明の一特徴によるランプ駆動装置は、液晶層を用いて画像を表示する液晶表示パネルに光を供給する光源に電源を供給する。前記ランプ駆動装置は、変化率算出部、ディミング変換部、及び電源供給部を備える。前記変化率算出部は、前記画像に対応する画像信号から前記画像の動き変化率信号を算出する。前記ディミング変換部は、外部から提供されるディミング信号と前記動き変化率信号とに基づいて前記光源の発光デューティを調節するデジタルディミング信号、及び前記光源に供給される電源を調整するアナログディミング信号を出力する。前記電源供給部は、前記画像信号に対応する垂直同期信号、前記アナログディミング信号、及びデジタルディミング信号に基づいて前記光源に電源を供給する。
前記デジタルディミング信号は、ＰＷＭ信号である。
前記変化率算出部は、ＭＰＥＧデコーダである。
【０００９】
上記目的を達成するためになされた本発明の一特徴による液晶表示装置は、パネル部、光源部、画像信号処理部、及び光源駆動部を備える。前記パネル部は、液晶層を用いて画像を表示する。前記光源部は、前記パネル部に光を提供する。前記画像信号処理部は、外部から供給される画像信号を前記パネル部に提供する。前記光源駆動部は、前記画像信号の動き変化率に基づいて前記光源部を駆動する。
【００１０】
前記光源駆動部は、前記動き変化率が相対的に高い区間の期間、前記光源部の発光デューティを相対的に減らし、前記光源部に供給される電流を相対的に増加させる。
【００１１】
前記光源駆動部は、変化率算出部、ディミング変換部、及び電源供給部を含む。前記変化率算出部は、前記画像信号から動き変化率信号を算出する。前記ディミング変換部は、外部から提供されるディミング信号と前記動き変化率信号に基づいてアナログディミング信号とＰＷＭディミング信号を出力する。前記電源供給部は、前記画像信号に対応する垂直同期信号、前記アナログディミング信号、及び前記ＰＷＭディミング信号に基づいて前記光源部に電源を供給する。
【００１２】
ここで、前記ディミング変換部は、保存部、比較判断器、合算器、減算器、及びＰＷＭ変換器を含む。前記保存部は、アナログディミング基本値を保存する。前記比較判断器は、前記動き変化率信号と外部から提供される基準変化率信号とを比較して比較判断信号を出力する。前記合算器は、前記比較判断信号と前記アナログディミング基本値とを合算して前記アナログディミング信号を出力する。前記減算器は、外部から提供されるディミング信号で前記比較判断信号を減算して減算されたディミング信号を出力する。前記ＰＷＭ変換器は、前記減算されたディミング信号をＰＷＭ変換して前記ＰＷＭディミング信号を出力する。
【００１３】
前記ディミング変換部は、前記動き変化率が基準変化率より小さいかあるいは等しい場合、正常的なオン区間を有するＰＷＭディミング信号及び正常的なレベルのアナログディミング信号を前記電源供給部に供給し、前記動き変化率が基準変化率より大きい場合、相対的に短いオン区間を有するＰＷＭディミング信号及び相対的に高いレベルのアナログディミング信号を前記電源供給部に供給する。
【００１４】
前記画像信号処理部は、タイミング制御部、データ駆動部、及びゲート駆動部を含み、前記タイミング制御部は変化率算出部を含む。前記タイミング制御部は、外部から第１画像信号及び第１同期信号が提供されることによって、第２画像信号、第２同期信号、及び第３同期信号を出力する。前記データ駆動部は、前記第２画像信号及び第２同期信号に基づいて前記パネル部にデータ信号を出力する。前記ゲート駆動部は、前記第３同期信号に基づいて前記パネル部にゲート信号を出力する。前記変化率算出部は、前記第１画像信号から動き変化率信号を算出する。
【発明の効果】
【００１５】
このような本発明の光源駆動方法及びその装置とこれを有する液晶表示装置によれば、画像の動き変化率によって光源の駆動デューティ及び供給電源を可変的に調節することで、瞬間ランプ電流を上昇させてもランプ特性と寿命に影響がないようにし、動く画像が不鮮明に見える現像を解決することができる。
【００１６】
即ち、本発明によると、動き変化率が相対的に小さい画像の場合、正常的なオン区間を有するＰＷＭディミング信号と正常的なレベルのアナログディミング信号を用いてランプが駆動され、また、動き変化率が相対的に大きい場合、相対的に短いオン区間を有するＰＷＭディミング信号と相対的に高いレベルのアナログディミング信号を用いてランプか駆動される。
これによって、画像の動き変化率に基づいて必要時にのみランプの駆動時にブリンキング効果が付与されるので、画像の残像が除去され、ランプの寿命が延長される。
【発明を実施するための最良の形態】
【００１７】
以下、本発明の光源駆動方法及びその装置とこれを有する液晶表示装置を実施するための最良の形態の具体例を、添付する図面を参照しながらより詳細に説明する。
図１は、本発明の一実施例による液晶表示装置を説明するブロック図であり、図２は、本発明によって表示される画像のバックライトの強度を説明するグラフである。
【００１８】
図１を参照すると、本発明の一実施例による液晶表示装置は、タイミング制御部１００、データ駆動部２００、ゲート駆動部３００、液晶表示パネル４００、ランプ駆動部５００、及び光源部６００を含む。タイミング制御部１００、データ駆動部２００、及びゲート駆動部３００は、外部から供給される画像信号を液晶表示パネル４００に提供する画像信号処理部を定義する。
【００１９】
タイミング制御部１００は、外部から第１画像信号（ＤＡＴＡ１）及び第１同期信号（ＳＹＮ１）が提供されることによって、第２画像信号（ＤＡＴＡ２）、第２同期信号（ＳＹＮ２）、及び第３同期信号（ＳＹＮ３）を出力する。第１同期信号（ＳＹＮ１）は、垂直同期信号（Ｖｓｙｎｃ）、水平同期信号（Ｈｓｙｎｃ）、メインクロック（ＭＣＬＫ）、及びデータイネーブル信号（ＤＥ）を含む。垂直同期信号（Ｖｓｙｎｃ）は１フレームが表示されるのに所要される時間を示す。水平同期信号（Ｈｓｙｎｃ）は１ラインが表示されるのに所要される時間を示す。したがって、水平同期信号（Ｈｓｙｎｃ）は１ラインに含まれたピクセル数に対応するパルスを含む。データイネーブル信号（ＤＥ）はピクセルにデータ供給されるのに所要される時間を示す。第２同期信号（ＳＹＮＣ２）は、第２画像信号（ＤＡＴＡ２）の出力のためにロード信号（ＬＯＡＤ）、水平開始信号（ＳＴＨ）、及び極性制御信号（ＲＥＶ）を含む。第３同期信号（ＳＹＮ３）はゲートクロック信号（ＣＰＶまたはＧＣＬＫ）及び垂直開始信号（ＳＴＶ）を含む。
【００２０】
データ駆動部２００は、第２画像信号（ＤＡＴＡ２）及び第２同期信号（ＳＹＮ２）に基づいて液晶表示パネル４００にデータ信号を出力する。一つのチップ上に具現可能なタイミング制御部１００及びデータ駆動部２００は、説明の便宜のために論理的に分離しただけであり、ハードウエア的に分離したものではない。
【００２１】
ゲート駆動部３００は、第３同期信号（ＳＹＮ３）に基づいて液晶表示パネル４００にゲート信号を出力する。
液晶表示パネル４００は、二枚の基板間に介在する液晶層を用いて画像を表示する。具体的に、液晶表示パネル４００は複数のデータライン（ＤＬ）、複数のゲートライン（ＧＬ）、相互隣接するデータライン（ＤＬ）及び互いに隣接するゲートライン（ＧＬ）によって区画される領域に形成されたスイッチング素子（ＴＦＴ）を含む。
【００２２】
データライン（ＤＬ）は垂直方向に配置される。データライン（ＤＬ）は複数のデータ信号をスイッチング素子（ＴＦＴ）に伝達する。ゲートライン（ＧＬ）は水平方向に配置される。ゲートライン（ＧＬ）はゲート信号をスイッチング素子（ＴＦＴ）に順次伝達する。ゲート信号はスイッチング素子（ＴＦＴ）をターンオン又はターンオフさせるための電圧レベルを有する。
【００２３】
スイッチング素子（ＴＦＴ）は、ソース電極、ゲート電極、及びドレイン電極を有する。ソース電極は、データライン（ＤＬ）に電気的に連結され、データ信号の供給を受ける。ゲート電極は、ゲートライン（ＧＬ）に電気的に連結され、ゲート信号の供給を受ける。ドレイン電極は液晶キャパシタ（Ｃｌｃ）及びストレージキャパシタ（Ｃｓｔ）に電気的に連結される。
【００２４】
ランプ駆動部５００は、第１画像信号（ＤＡＴＡ１）の動き変化率が相対的に低い区間の期間、光源部６００の発光デューティを正常的に維持し、光源部６００に供給される電流を正常的に維持する。
【００２５】
また、ランプ駆動部５００は、第１画像信号（ＤＡＴＡ１）の動き変化率が相対的に高い区間の期間、光源部６００の発光デューティを相対的に減らし、光源部６００に供給される電流を相対的に増加させる。
【００２６】
光源部６００は、一例として、一つ以上のランプを含み、ランプ駆動部５００で提供される駆動電流に基づいて光を液晶表示装パネル４００に供給する。光源部６００は、他の一例として、赤色光を発光する一つ以上の赤色ＬＥＤ、緑色光を発生する一つ以上の緑色ＬＥＤ、及び青色光を発光する一つ以上の青色ＬＥＤを含む。
【００２７】
図１及び図２を参照すると、光源部６００は、画像が表示されることによって、ブリンキング動作を行う。
特に、表示される画像の輝度が相対的に高い場合、光源部６００は、相対的に高いレベルの駆動電流に応答して相対的に高い輝度の光を液晶表示パネル４００に供給する。
【００２８】
また、表示される画像の輝度が相対的に低い場合、正常的なレベルの駆動電流に応答して正常的な輝度の光を液晶表示パネル４００に供給する。
以上、説明したように、実際にＴＶで表示される画像は常に激しく動くわけではないので必要時にのみ相対的に高いレベルのランプ管電流を印加して、ランプの寿命を延長することができる。
【００２９】
実際に画像が激しく動く時間は数秒以内であり、激しく動く確率もまた１／３０程度で低い。したがって、相対的に高いレベルのランプ管電流を印加してもランプの寿命に大きい影響を与えない。
図３は、本発明の画像の動き変化率によるＰＷＭディミングとアナログディミングを説明するグラフである。
【００３０】
図３を参照すると、画像動きの強さが基準値より低い場合、アナログディミング（ｄｉｍｍｉｎｇ）信号は正常的なレベルを有し、ＰＷＭ（ｐｕｌｓｅ−ｗｉｄｔｈ  ｍｏｄｕｌａｔｉｏｎ）ディミング信号は正常的なデューティ（ｄｕｔｙ  ｃｙｃｌｅ）を有する。画像の動きの強さは画像が動く速度と動く面積との掛け算である。ここで、表示される画像はフレーム間の画像の動きが相対的に少ないかあるいはほぼ停止する状態を有する。
【００３１】
一方、画像の動きの強さが基準値と等しいかまたは基準値より高い場合、アナログディミング信号は相対的に高いレベルを有し、ＰＷＭディミング信号は相対的に低いデューティを有する。ここで表示される画像は動きが多い画像のようにフレーム間の画像の動き変化率が相対的に大きい状態を有する。
【００３２】
これによって、相対的に低いデューティを有するＰＷＭディミング信号を用いて光源部をブリンキングさせることで、より鮮明な画像を表示することができる。ここで、画像が表示されないブリンキング区間が大きくなるので、画像の輝度は低くなる。しかし、相対的に高いレベルを有するアナログディミング信号を印加することで光源部に印加される電流レベルを高くして輝度が低くなることを補償する。
【００３３】
図４は、図１に示したランプ駆動部を説明するブロック図である。
図４を参照すると、本実施例によるランプ駆動部５００は、（動き）変化率算出部５１０、ディミング変換部５２０、及びインバータ５３０を含む。
変化率算出部５１０は、タイミング制御部１００より提供される第１画像信号（ＤＡＴＡ１）及び第４同期信号（ＳＹＮ４）から動き変化率信号（ＭＲＳ）を算出する。変化率算出部５１０は、動き変化率信号（ＭＲＳ）をディミング変換部５２０に提供し、第４同期信号（ＳＹＮ４）をインバータ５３０に提供する。変化率算出部５１０は、ＭＰＥＧ（Ｍｏｖｉｎｇ  Ｐｉｃｔｕｒｅ  Ｅｘｐｅｒｔｓ  Ｇｒｏｕｐ）デコーダを含む。第４同期信号（ＳＹＮ４）は垂直同期信号（Ｖｓｙｎｃ）を含む。
【００３４】
ディミング変換部５２０は、外部から提供されるディミング信号（ＤＩＭ）と動き変化率信号（ＭＲＳ）に基づいてアナログディミング信号（ＡＤＩＭ）とデジタルディミング信号（ＰＤＩＭ）を出力する。アナログディミング信号（ＡＤＩＭ）は、ランプの輝度を調節するために、ランプ管電流の可変値を制御する。ＰＷＭディミング信号は、ランプ管電流が流れる時間幅の可変値を制御する。
【００３５】
インバータ５３０は、第１画像信号（ＤＡＴＡ１）に対応する垂直同期信号（Ｖｓｙｎｃ）、アナログディミング信号（ＡＤＩＭ）、及びデジタルディミング信号（ＰＤＩＭ）に基づいて光源部６００に電源（または駆動電流）（ＬＩ）を供給する。
【００３６】
例えば、インバータ５３０は、正常的なレベルを有するアナログディミング信号（ＡＤＩＭ）と正常的なデューティを有するデジタルディミング信号（ＰＤＩＭ）が入力されることによって、正常的なレベルと正常的なデューティを有する駆動電流を光源部６００に供給する。
【００３７】
一方、インバータ５３０は、相対的に高いレベルを有するアナログディミング信号（ＡＤＩＭ）と相対的に低いデューティを有するディミング信号（ＰＤＩＭ）が入力されることによって、相対的に高いレベルと相対的に低いデューティを有する駆動電流を光源部６００に供給する。
【００３８】
図５は、図４に示したディミング変換部を説明するブロック図である。
図４及び図５を参照すると、本実施例によるディミング変換部５２０は、比較判断部５２２、アナログディミング基本値保存部５２４、合算器（ＳＵＭ）、減算器（ＳＵＢ）、及びＰＷＭ変換部５２６を含む。
比較判断部５２２は、動き変化率信号（ＭＲＳ）と外部から提供される基準変化率信号（ＴＨＶ）を比較して比較判断信号５２３を合算器（ＳＵＭ）に出力する。
【００３９】
アナログディミング基本値保存部５２４は、アナログディミング基本値５２５を保存する。一例として、基準変化率信号（ＴＨＶ）及びアナログディミング基本値５２５それぞれを液晶表示装置の製造者によって設定することができる。他の一例として、基準変化率信号（ＴＨＶ）及びアナログディミング基本値５２５それぞれを別途のボタンやＯＳＤ（ｏｎ  ｓｃｒｅｅｎ  ｄｉｓｐｌａｙ）方式などを通じて液晶表示装置の使用者によって設定することもできる。
【００４０】
合算器（ＳＵＭ）は、比較判断信号５２３とアナログディミング基本値５２５を合算してアナログディミング信号（ＡＤＩＭ）をインバータ５３０に出力する。
減算器（ＳＵＢ）は、外部から提供されるディミング信号（ＤＩＭ）で比較判断信号５２３を減算し、減算されたディミング信号（ＤＩＭ−５２３）をＰＷＭ変換部５２６に出力する。
ＰＷＭ変換部５２６は、減算されたディミング信号（ＤＩＭ−５２３）をＰＷＭ変換して、ＰＷＭディミング信号（ＰＤＩＭ）を生成し、ＰＷＭディミング信号（ＰＤＩＭ）をインバータ５３０に出力する。
【００４１】
図６は、本発明の一実施例によるランプ駆動方法を説明するフローチャートである。
図６を参照すると、第１画像信号及びディミング信号の入力可否が確認（チェック）される（段階Ｓ１１０）。
【００４２】
段階Ｓ１１０において、第１画像信号及びディミング信号が入力されることが確認（チェック）された場合、第１画像信号から動き変化率信号が算出される（段階Ｓ１２０）。
その後、動き変化率信号が基準値より大きいか否かをチェックする（段階Ｓ１３０）。
【００４３】
段階Ｓ１３０において、動き変化率信号が基準値より大きいことが確認された場合、正常的なレベルを有するアナログディミング信号が出力され、正常的なデューティ、即ち正常的なオン区間を有するＰＷＭディミング信号が出力される（段階Ｓ１４０）。
その後、外部から供給される垂直同期信号、アナログディミング信号、及びＰＷＭディミング信号に基づいてランプやＬＥＤなどを含む光源部に駆動電流が供給される（段階Ｓ１５０）。
【００４４】
一方、段階Ｓ１３０において、動き変化率信号が基準値より等しいかまたは小さいことが確認された場合には、高いレベルを有するアナログディミング信号が出力され、相対的に低いデューティ、即ち、短いオン区間を有するＰＷＭディミング信号が出力された後（段階Ｓ１６０）、段階Ｓ１５０に移行してその結果が反映される。
【００４５】
図７は、図６に示した段階Ｓ１４０を説明するフローチャートである。
図５乃至図７を参照すると、段階Ｓ１３０において動き変化率信号が基準値より大きいことが確認された場合、第１比較判断信号が出力される（段階Ｓ１４１）。第１比較判断信号は実質的にゼロである。
【００４６】
その後、第１比較判断信号と既に保存されたアナログディミング基本値が合算された後（段階Ｓ１４３）、正常的なレベルを有する第１アナログディミング信号が出力される（段階Ｓ１４５）。第１比較判断信号がゼロであるので、第１アナログディミング信号は既に保存されたアナログディミング基本値である。
【００４７】
その後、外部から提供される外部ディミング信号で第１比較判断信号が減算される（段階Ｓ１４７）。第１比較判断信号がゼロであるので、段階Ｓ１４７で出力される信号は外部ディミング信号である。
【００４８】
その後、外部ディミング信号に対応する正常的なオン区間を有する第１ＰＷＭディミング信号が出力された後（段階Ｓ１４９）、段階Ｓ１５０に移行してその結果が反映される。
以上では、説明の便宜のために段階Ｓ１４３及び段階Ｓ１４５を行った後、段階Ｓ１４７及び段階Ｓ１４９を行うことを説明したが、段階Ｓ１４７及び段階Ｓ１４９を行った後、段階Ｓ１４３及び段階Ｓ１４５を行うこともできる。また、段階Ｓ１４３乃至Ｓ１４９は、同時に行うこともできる。
【００４９】
図８は、図６に示した段階Ｓ１６０を説明するフローチャートである。
図５乃至図８を参照すると、段階Ｓ１３０において動き変化率信号が基準値より小さいかまたは等しいことが確認された場合、第２比較判断信号が出力される（段階Ｓ１６１）。第２比較判断信号は、画像の動き変化率信号に比例する。
【００５０】
その後、第２比較判断信号と既に保存されたアナログディミング基本値とが合算された後（段階Ｓ１６３）、相対的に高いレベルを有する第２アナログディミング信号が出力される（段階Ｓ１６５）。第２比較判断信号は、動き変化率信号に比例するので、第２アナログディミング信号は、既に保存されたアナログディミング値より大きい値を有する。
【００５１】
その後、外部から提供される外部ディミング信号で第２比較判断信号が減算される（段階Ｓ１６７）。
その後、段階Ｓ１６７で減算された信号をＰＷＭ変換して第２ＰＷＭディミング信号が出力された後（段階Ｓ１６９）、段階Ｓ１５０に移行してその結果が反映される。第２ＰＷＭディミング信号は、正常的なデューティより低いデューティを有する。正常的なデューティは、外部ディミング信号に対応して出力される第１ＰＷＭディミング信号のデューティである。即ち、第２ＰＷＭディミング信号は相対的に短いオン区間を有する。
【００５２】
以上、説明の便宜のために段階Ｓ１６３及び段階Ｓ１６５を行った後、段階Ｓ１６７及び段階Ｓ１６９を行うことを説明したが、段階Ｓ１６７及び段階Ｓ１６９を行った後、段階Ｓ１６３及びＳ１６５を行ってもよい。また、段階Ｓ１６３乃至Ｓ１６９は、同時に行ってもよい。
【００５３】
図９は、本発明の他の実施例による液晶表示装置を説明するブロック図である。
【００５４】
図９を参照すると、本発明の他の実施例による液晶表示装置は、タイミング制御部７００、データ駆動部２００、ゲート駆動部３００、液晶表示パネル４００、ランプ駆動部９００、及び光源部６００を含む。図１と比較して同一の構成要素に対しては同一の図面番号を付与し、その詳細な説明は省略する。タイミング制御部７００、データ駆動部２００、及びゲート駆動部３００は、外部から供給される画像信号を液晶表示パネル４００に提供する画像信号処理部を定義する。
【００５５】
タイミング制御部７００は、（動き）変化率算出部８００を含み、外部から第１画像信号（ＤＡＴＡ１）及び第１同期信号（ＳＹＮ１）が提供されることによって、第２画像信号（ＤＡＴＡ２）、第２同期信号（ＳＹＮ２）、及び第３同期信号（ＳＹＮ３）を出力する。
ランプ駆動部９００は、ディミング変換部５２０及びインバータ５３０を含む。ディミング変換部５２０及びインバータ５３０は、図５に示したディミング変換部５２０及びインバータ５３０と同一であるので、同一の図面番号を付与し、その詳細な説明は省略する。
【００５６】
ランプ駆動部９００は、第１画像信号（ＤＡＴＡ１）の動き変化率が相対的に低い区間の期間、光源部６００の発光デューティを正常的に維持し、光源部６００に供給される電流を正常的に維持する。
【００５７】
また、ランプ駆動部９００は、第１画像信号（ＤＡＴＡ１）の動き変化率が相対的に高い区間の期間、光源部６００の発光デューティを相対的に減らし、光源部６００に供給される電流を相対的に増加させる。
【００５８】
図１０は、図９に示した変化率算出部を説明するブロック図である。
図１０を参照すると、変化率算出部８００は、第１メモリ８１０、第２メモリ８２０、及び比較部８３０を含む。
【００５９】
第１メモリ８１０は、ｎ番目のフレームに対応する画像信号が提供されることによってｎ番目のフレームに対応する画像信号を保存し、保存されたｎ−１番目のフレームに対応する画像信号を比較部８３０に出力する。
【００６０】
第２メモリ８２０は、ｎ−１番目のフレームに対応する画像信号を保存し、保存されたｎ−２番目のフレームに対応する画像信号を比較部８３０に出力する。
【００６１】
比較部８３０は、第１メモリ８１０から提供されるｎ−１番目のフレームに対応する画像信号と第２メモリ８２０から提供されるｎ−２番目のフレームに対応する画像信号を比較して動き変化率信号をランプ駆動部９００に出力する。
【００６２】
一例として、比較部８３０は、ｎ−２番目のフレームの画像信号及びｎ−１番目のフレームの画像信号それぞれに対応するヒストグラムの変化に基づいて動き変化率信号をランプ駆動部９００に出力する。
【００６３】
他の一例として、比較部８３０は、ｎ−２番目のフレームの画像信号及びｎ−１番目のフレームの画像信号で表示される物体のエッジ変化率に基づいて動き変化率信号をランプ駆動部９００に出力する。
【００６４】
以上、本発明の実施例によって詳細に説明したが、本発明はこれに限定されず、本発明が属する技術分野において通常の知識を有するものであれば本発明の思想と精神を離脱することなく、本発明を修正または変更できる。
【図面の簡単な説明】
【００６５】
【図１】本発明の一実施例による液晶表示装置を説明するブロック図である。
【図２】表示される画像のバックライト強度を説明するグラフである。
【図３】本発明の画像の動き変化率によるＰＷＭディミングとアナログディミングを説明するグラフである。
【図４】図１に示したランプ駆動部を説明するブロック図である。
【図５】図４に示したディミング変換部を説明するブロック図である。
【図６】本発明の一実施例によるランプ駆動方法を説明するフローチャートである。
【図７】図６に示した段階Ｓ１４０を説明するフローチャートである。
【図８】図６に示した段階Ｓ１６０を説明するフローチャートである。
【図９】本発明の他の実施例による液晶表示装置を説明するブロック図である。
【図１０】図９に示した変化率算出部を説明するブロック図である。
【符号の説明】
【００６６】
１００、７００    タイミング制御部
２００    データ駆動部
３００    ゲート駆動部
４００    液晶表示パネル
５００、９００    ランプ駆動部
５１０、８００    （動き）変化率算出部
５２０    ディミング変換部
５２２    比較判断部
５２３    比較判断信号
５２４    アナログディミング基本値保存部
５２５    アナログディミング基本値
５２６    ＰＷＭ変換部
５３０    インバータ
６００    光源部
８１０、８２０    メモリ
８３０    比較部
【図１】
2007213072.tif 000003
【図２】
2007213072.tif 000004
【図３】
2007213072.tif 000005
【図４】
2007213072.tif 000006
【図５】
2007213072.tif 000007
【図６】
2007213072.tif 000008
【図７】
2007213072.tif 000009
【図８】
2007213072.tif 000010
【図９】
2007213072.tif 000011
【図１０】
2007213072.tif 000012